(57)【特許請求の範囲】
【請求項１】
油相および水相からなる油中水型エマルションインクにおいて、２３℃における粘度が３ｍＰａ・ｓ〜１００ｍＰａ・ｓであって、前記油相に着色剤を含有し、前記水相にナフタレンスルホン酸塩ホルマリン縮合物を含有することを特徴とする油中水型エマルションインク。
【請求項２】
前記ナフタレンスルホン酸塩ホルマリン縮合物の含有量が前記水相全質量に対して０．５質量％〜３５質量％であることを特徴とする請求項１記載の油中水型エマルションインク。
【請求項３】
前記油相に界面活性剤としてポリグリセリン脂肪酸エステルを含有することを特徴とする請求項１または２記載の油中水型エマルションインク。
【発明の詳細な説明】
【技術分野】
【０００１】
本発明は、油中水型エマルションインクに関するものである。
【背景技術】
【０００２】
ラインヘッド型インクジェット方式を採用したビジネスプリンタは、ヘッドが固定されているため高速で大量印刷が可能であり、低価格である点からも注目されている。この高速印刷用インクジェット方式の印刷機には、通常、油性顔料インクが使われるが、他方式の印刷機と比較して、印字した際に印刷物裏側にインクが浸透するため、得られる印刷物は、印刷濃度が低く、裏抜けの多いものになる。この問題を解決する方法の一つとして、油性顔料インクに水を乳化した油中水型エマルションインクを利用する方法がある。
【０００３】
エマルションインクは、印刷物裏側にインクが浸透することが少なく、印刷物の印刷濃度を高くすることができるものであるが、長期保存すると水相粒子の合一が進んで油相と水相が分離するなど、インクとして貯蔵安定性が乏しいという問題がある。
【０００４】
貯蔵安定性を向上する手段として、孔版用油中水型エマルションインクでは油相の粘度を高くし、水相割合を多くするという手段がとられているが、孔版用油中水型エマルションインクはインク粘度が高いためにインクジェットでは吐出することができない。別の貯蔵安定性を向上させる手段として、油中水型エマルションの油相と水相の界面張力を下げる目的で油相と水相の両方に界面活性剤を添加することが知られている。例えば、特許文献１や２では水相に非イオン性界面活性剤であるサーフィノール４６５（アセチレングリコールのエチレンオキサイド付加物）を添加するとともに、エマルションの安定性を図るために油相にケロシンやドデカンといった揮発性の高い有機溶媒を使用することが記載されている。
【先行技術文献】
【特許文献】
【０００５】
【特許文献１】特開平４−１７０４７５号公報
【特許文献２】特開平４−１８３７６２号公報
【発明の概要】
【発明が解決しようとする課題】
【０００６】
特許文献１や２に記載されている方法によれば油中水型エマルションインクの貯蔵安定性を向上させることが可能であるものの、油相に揮発性の高い有機溶媒を使用しているためにインクジェットで吐出した時の吐出性が充分ではない。吐出性を改善するためには油相の溶剤を揮発性の低いものに変更すればよいが、これでは貯蔵安定性が確保できない。すなわち、従来は、インクジェット用途の油中水型エマルションインクでは吐出性と貯蔵安定性を両立させることはできなかった。  
本発明は上記事情に鑑みなされたものであり、インクジェット用途に使用しても吐出性が良好で、貯蔵安定性の高い油中水型エマルションインクを提供することを目的とするものである。
【課題を解決するための手段】
【０００７】
本発明の油中水型エマルションインクは、油相および水相からなる油中水型エマルションインクにおいて、２３℃における粘度が３ｍＰａ・ｓ〜１００ｍＰａ・ｓであって、前記水相にナフタレンスルホン酸塩ホルマリン縮合物を含有することを特徴とするものである。
【０００８】
前記ナフタレンスルホン酸塩ホルマリン縮合物の含有量は前記水相全質量に対して０．５質量％〜３５質量％であることが好ましい。
前記油相には界面活性剤としてポリグリセリン脂肪酸エステルを含有することが好ましい。
【発明の効果】
【０００９】
本発明の油中水型エマルションインクは、２３℃における粘度が３ｍＰａ・ｓ〜１００ｍＰａ・ｓであるため、インクジェット用途に使用しても吐出性が良好であり、水相にナフタレンスルホン酸塩ホルマリン縮合物を含有するため、貯蔵安定性に優れたものとすることができる。
【発明を実施するための形態】
【００１０】
本発明の油中水型エマルションインク（以下、単にインクという）は、２３℃における粘度が３ｍＰａ・ｓ〜１００ｍＰａ・ｓであって、水相にナフタレンスルホン酸塩ホルマリン縮合物を含有することを特徴とする。
【００１１】
ナフタレンスルホン酸塩ホルマリン縮合物はアニオン系界面活性剤であり、分子量が２０００〜１２０００程度のものを用いることが好ましく、例えばデモールＮ（花王(株)：分子量２０００）、イオネットＤ−２（三洋化成：分子量５５００）、三洋レベロン（三洋化成：分子量１２０００）等を好ましく挙げることができる。
【００１２】
ナフタレンスルホン酸塩ホルマリン縮合物の含有量は水相の全質量に対して０．５質量％〜３５質量％であることが好ましく、５質量％〜２５質量％であることがより好ましい。０．５質量％未満では貯蔵安定性を確保することが難しい。一方、３５質量％より多く含有させるとナフタレンスルホン酸塩ホルマリン縮合物が析出しやすくなるため好ましくない。
【００１３】
本発明のインクの、２３℃における粘度を３ｍＰａ・ｓ〜１００ｍＰａ・ｓとするためには、下記に説明する溶剤等の選択にもよるが、インク全質量に対する水相の割合が１質量％〜５０質量％とすることが好ましく、５質量％〜３５質量％とすることがより好ましい。ここで、粘度は、２３℃における０．１Ｐａ／ｓの速度で剪断応力を０Ｐａから増加させたときの１０Ｐａにおける粘度を意味する。
【００１４】
インク全質量に対する水相の割合が５０質量％よりも多くなると吐出安定性が悪くなり、一方、１質量％未満では印刷濃度を高くする効果が得られなくなる。通常、インク全質量に対する水相の割合が５０質量％以下になると貯蔵安定性が際立って悪くなるが、本発明のインクは、水相にナフタレンスルホン酸塩ホルマリン縮合物を含有するために、貯蔵安定性を確保しながら、同時に吐出安定性も良好なものとすることが可能である。
【００１５】
水相中には、ナフタレンスルホン酸塩ホルマリン縮合物の他、さらに、公知の水蒸発抑制剤または凍結防止剤、電解質、ｐＨ調整剤を含ませることができ、さらに、酸化防止剤、体質顔料等の公知の添加剤を、必要に応じて含ませることができる。
【００１６】
油相は、基本的に、着色剤、界面活性剤（乳化剤）、樹脂成分、油成分、顔料分散剤等から構成される。油相の割合はインク全質量に対して５０質量％〜９９質量％であることが好ましく、６５質量％〜９５質量％であることがより好ましい。
【００１７】
着色剤としては、不溶性アゾ顔料、溶性アゾ顔料、フタロシアニンブルー、染色レーキ、イソインドリノン、キナクリドン、ジオキサジンバイオレット、ペリノン・ペリレンのような有機顔料；カーボンブラック、二酸化チタン等の無機顔料；アゾ系、アントラキノン系、アジン系等の油溶性染料；各種水溶性染料、分散染料等が挙げられる。これらの着色剤は、目的とする色相を実現するため、単独で、または２種以上を混合して用いることができ、顔料と染料とを組み合わせてもよい。その配合量も、適宜設定すればよいが、一般に、インクの総質量に対して２０質量％以下であることが好ましく、さらに好ましくは３質量％〜１０質量％の範囲で用いられる。
【００１８】
また、印刷物の画質を向上させるために、インク中に体質顔料を含有させることができる。体質顔料としては、たとえば、シリカ、白土、タルク、クレー、珪藻土、炭酸カルシウム、炭酸バリウム、硫酸バリウム、アルミナホワイト、カオリン、マイカ、水酸化アルミニウムを用いることができ、これらの２種以上を併用してもよい。体質顔料は、多量に含有させると被印刷体への着色剤の定着を阻害したり、印刷機の非使用後の印刷性能に支障をきたす恐れがあるため、１０質量％以下の範囲で含有させることが好ましく、より好ましくは５質量％以下である。
【００１９】
界面活性剤は、油中水型エマルションを構成するために用いられ、アニオン界面活性剤、カチオン界面活性剤、両性界面活性剤、非イオン界面活性剤のいずれを用いてもよい。このうち、油中水型エマルションの乳化性や保存安定性の観点から、非イオン界面活性剤を用いることが好ましい。
【００２０】
具体的には、ソルビタンモノラウレート、ソルビタンモノパルミテート、ソルビタンモノオレエート、ソルビタンセスキオレエート、ソルビタンモノイソステアレート等のソルビタン脂肪酸エステル、グリセリルモノステアレート、ヘキサグリセリルテトラオレエート、デカグリセリルデカオレエート、ヘキサグリセリルペンタオレエート等の（ポリ）グリセリン脂肪酸エステル、ポリオキシエチレンソルビタン脂肪酸エステル、ポリオキシエチレングリセリン脂肪酸エステル、ポリオキシエチレンソルビット脂肪酸エステル、プロピレングリコール脂肪酸エステル、（ポリ）エチレングリコール脂肪酸エステル、ポリオキシエチレンアルキルエーテル、ポリオキシエチレンポリオキシプロピレンアルキルエーテル、ポリオキシエチレンアルキルフェニルエーテル、ポリオキシエチレン（硬化）ヒマシ油等を好ましく挙げることができる。上記界面活性剤は、単独で用いてもよいし、二種類以上を適宜組み合わせて用いることもできる。
【００２１】
とりわけ、上記界面活性剤の中でもポリグリセリン脂肪酸エステルを好ましく用いることができる。ポリグリセリン脂肪酸エステルは、グリセリンの脱水縮合によって得られたポリグリセリンと脂肪酸とのエステル化物であり、ポリグリセリン脂肪酸エステルにおいて、グリセリン縮合量は４モル〜１２モルであることが好ましく、これに数モル（例えば１モル〜１０モル）の高級脂肪酸がエステル結合していることが好ましい。高級脂肪酸としては、炭素数８〜２４の脂肪酸が好ましく、不飽和結合を持つ脂肪酸であることがより好ましい。具体的には、ポリリシノレイン酸ヘキサグリセリル、トリオレイン酸デカグリセリル、ペンタオレイン酸デカグリセリル等が好ましく挙げられる。  
ポリグリセリン脂肪酸エステルの含有量は、インク全質量に対して０．１質量％〜２０質量％であることが好ましく、１質量％〜１５質量％であることがより好ましく、さらには５質量％〜１０質量％であることが好ましい。
【００２２】
樹脂はインクに粘度を付与し、エマルションの安定性を向上させるもので、油相に溶解するものが用いられる。樹脂を含ませることにより、カーボンブラック、その他の顔料や体質顔料の顔料分散性、紙への定着性、転写汚れの抑制を向上させることができる。樹脂としては、たとえば、ロジン、ギルソナイト、ロジンエステル、マレイン酸樹脂、フェノール樹脂、アルキド樹脂、石油樹脂、アクリル樹脂、アミノ樹脂、ウレタン樹脂、セルロース樹脂、天然ゴム誘導体樹脂等を好ましく用いることができ、アルキド樹脂、フェノール樹脂をより好ましく用いることができる。また、アルキド樹脂またはロジン変性樹脂とアルミニウムキレート化合物またはアルミニウムアルコラートとの反応生成物も、好ましく用いることができる。樹脂の含有量は、インク全質量に対して１〜２０質量％であることが好ましく、３〜１５質量％であることがより好ましい。
【００２３】
本発明の油性インクに使用される溶剤は、インクを大気中に放置した場合でも揮発しにくいことが必要であることから、その沸点が２４０℃以上であるものが好ましく、２５０℃以上のものであることがより好ましい。また、インクの粘度を３ｍＰａ・ｓ〜１００ｍＰａ・ｓとするために、溶剤の粘度は２０ｍＰａ．ｓ以下であることが好ましく、さらには１０ｍＰａ・ｓ以下であることが好ましい。溶剤の種類は特に限定されず、非極性溶剤及び極性溶剤のいずれも使用することができる。例えば、非極性溶剤として炭化水素溶剤等、極性溶剤としてエステル溶剤、アルコール溶剤、高級脂肪酸溶剤、エーテル溶剤等を使用することができる。これらは、単独で用いてもよく、２種以上を混合して用いてもよい。２種以上を混合して使用する場合には、混合液は単一の連続する相を形成する必要がある。
【００２４】
炭化水素溶剤としては、脂肪族炭化水素溶剤、脂環式炭化水素系溶剤、芳香族炭化水素系溶剤等が挙げられる。脂肪族炭化水素溶剤及び脂環式炭化水素系溶剤としては、新日本石油社製「テクリーンＮ−１６、テクリーンＮ−２０、テクリーンＮ−２２、０号ソルベントＬ、０号ソルベントＭ、０号ソルベントＨ、ＡＦ−４、ＡＦ−５、ＡＦ−６、ＡＦ−７」（いずれも商品名）、新日本石油化学社製「日石アイソゾール、ナフテゾール」（いずれも商品名）、エクソンモービル社製「ＩｓｏｐａｒＧ、ＩｓｏｐａｒＨ、ＩｓｏｐａｒＬ、ＩｓｏｐａｒＭ、ＥｘｘｏｌＤ４０、ＥｘｘｏｌＤ８０、ＥｘｘｏｌＤ１００、ＥｘｘｏｌＤ１４０、ＥｘｘｏｌＤ１４０」（いずれも商品名）等が挙げられる。
【００２５】
エステル溶剤としては、ラウリル酸メチル、ラウリル酸イソプロピル、ミリスチン酸イソプロピル、パルミチン酸イソプロピル、パルミチン酸イソステアリル、パルミチン酸イソオクチル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２エチルヘキサン酸グリセリル等が挙げられる。
【００２６】
アルコール溶剤としては、イソミリスチルアルコール、イソパルミチルアルコール、イソステアリルアルコール、オレイルアルコール等が挙げられる。  
高級脂肪酸溶剤としては、イソノナン酸、イソミリスチン酸、イソパルミチン酸、オレイン酸、イソステアリン酸等が挙げられる。
【００２７】
エーテル溶剤としては、ジエチルグリコールモノブチルエーテル、エチレングリコールモノブチルエーテル、プロピレングリコールモノブチルエーテル、プロピレングリコールジブチルエーテル等が挙げられる。  
溶剤の含有量は、インク全質量に対して１０質量％〜８０質量％であることが好ましく、４０質量％〜７５質量％であることがより好ましい。
【００２８】
本発明で用いられる顔料分散剤としては、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキルリン酸エステル、ポリオキシエチレンノニルフェニルエーテル、ポリエステルポリアミン、ステアリルアミンアセテート等を用いることができ、中でも主鎖にポリアミド構造を有し、側鎖にポリエステル構造を有した櫛型のポリマーが好ましい。顔料分散剤の含有量は、インク全質量に対して０質量％〜１０質量％であることが好ましく、０．１質量％〜５質量％であることがより好ましい。  
油相中には、必要に応じて、ゲル化剤、酸化防止剤等の公知の成分を適宜含ませることができる。
【００２９】
本発明のインクは、公知の方法で調製することができる。例えば油相は、公知の分散機で顔料を溶剤に分散した後、さらに溶剤で希釈し、その際その他の油相成分を添加して調製することができる。希釈には、それ自体公知の撹拌機を使用することができる。水相は、水相の成分を、撹拌機により水に混合・溶解することにより調製することができる。そして、公知の乳化機を使用し、攪拌下の油相中に水相を滴下することにより、油中水型のエマルションインクを得ることができる。これらの分散、稀釈、乳化等を行うにあたって採用される条件等は、適宜選択することができる。  
以下に本発明のインクの実施例を示す。
【実施例】
【００３０】
（インクの調製）
下記表１および２に示す配合（表に示す数値は質量部である）により、以下の手順に従い、各実施例、比較例のインクを調製した。まず、顔料、溶剤、顔料分散剤、界面活性剤を混合し、ロッキングミルで充分に分散した。この油相中に、界面活性剤を混合した水相混合溶液を徐々に滴下し、ホモジナイザーを用いて乳化を行い、油中水型エマルションインクを得た。
【００３１】
なお、表１および２中、ＮＩＫＫＯＬ ＳＯ−１０Ｖ（モノオレイン酸ソルビタン）、Ｈｅｘａｇｌｙｎ  ＰＲ−１５（ポリリシノレイン酸ヘキサグリセリル）、Ｄｅｃａｇｌｙｎ  ３−Ｏ（トリオレイン酸デカグリセリル）およびＤｅｃａｇｌｙｎ  ５−ＯＶ（ペンタオレイン酸デカグリセリル）は日光ケミカルズ製、ＡＦ−７（ナフテン系非極性溶剤）は新日本石油製、デモールＮ（ナフタレンスルホン酸塩ホルマリン縮合物：分子量２０００）は花王製、イオネットＤ−２（ナフタレンスルホン酸塩ホルマリン縮合物：分子量５５００）および三洋レベロン（ナフタレンスルホン酸塩ホルマリン縮合物：分子量１２０００）は三洋化成製、サーフィノール４６５（非イオン性界面活性剤）は日信化学工業製である。
【００３２】
（評価）
（粘度測定）
ＴＡインスツルメント社製レオメータＡＲ−Ｇ２（コーン角度２°、直径４０ｍｍ）を用いて、実施例および比較例の各インクの２３℃における、０．１Ｐａ／ｓの速度で剪断応力を０Ｐａから増加させたときの１０Ｐａにおける粘度を測定した。
【００３３】
（インクジェットによる吐出性評価）
ライン型インクジェットプリンター「オルフィスＨＣ５５００」（理想科学工業（株）製）のインクジェットヘッドを装着した吐出治具（任意のインクジェットヘッドが装着可能であり、駆動条件等を任意に設定可能なもの）を用いて評価を行った。実施例および比較例の各インクを用いて、１ドットあたりの吐出量を４２ｐＬとして、１０回連続で吐出した時の吐出の様子について、下記の基準により評価した。  
◎：全く不吐出がなく、１回目と１０回目の吐出で同じ画像が印刷できた
○：数本の不吐出がランダムで発生したが、１回目と１０回目の吐出でほぼ同じ画像が印
刷できた
×：不吐出が多く、１回目と１０回目の吐出で同じ画像が印刷できない
××：粘度が高いために、インクが全く吐出されなかった
【００３４】
（貯蔵安定性）
実施例および比較例の各インクを室温（２３℃）で放置し、下記の基準により目視評価した。  
◎：３ヶ月以上水相が分離しなかった
○：１ヶ月以上水相が分離しなかった
△：１週間以上水相が分離しなかった
×：１日以内に水相が分離した
××：数時間以内に水相が分離した
【００３５】
実施例および比較例のインクの処方とともに、上記の評価項目により評価した結果を表１および２に示す。なお、表２中、比較例５はインク調製直後に水相が分離したために吐出評価ができなかった。
【００３６】
【表１】
0005597405.tif 000002
【００３７】
表１から明らかなように、実施例１〜１０のインクは、いずれも吐出が良好であり、貯蔵安定性も実用上問題のないものであった。実施例１のインクは油相にモノオレイン酸ソルビタンの界面活性剤を含むものであり、一方、実施例２のインクは油相にポリリシノレイン酸ヘキサグリセリルの界面活性剤を含むものであるが、この比較から油相の界面活性剤としてはポリグリセリン脂肪酸エステルがより貯蔵安定性に貢献することが看取される。なお、実施例５においてはナフタレンスルホン酸塩ホルマリン縮合物の含有量が０．７質量部と少ないために貯蔵安定性は他の実施例よりも若干ではあるが悪くなった。
【００３８】
通常、油中水型エマルションインクにおいて水相の割合が半分以下になると貯蔵安定性が際立って悪くなるが（比較例４および５）、実施例のインクはいずれも水相にナフタレンスルホン酸塩ホルマリン縮合物を含有するため、貯蔵安定性が確保された。なお、水相に本発明のナフタレンスルホン酸塩ホルマリン縮合物ではない別の界面活性剤（サフィノール４６５）を含み、揮発性の高い有機溶媒（ケロシン）を含む比較例３では貯蔵安定性は確保できたが、吐出安定性は実用には耐えないものであった。また別の界面活性剤（サフィノール４６５）を含み、溶剤が揮発性の低い有機溶媒（ＡＦ−７）である比較例５では、貯蔵安定性は確保できなかった。
【００３９】
なお、水相に顔料と顔料分散剤としてナフタレンスルホン酸塩ホルマリン縮合物を水相に含有する油中水型エマルションインクは既に公知である（特開平８−３４９４４号）。しかし、水相成分を６０〜７０質量部含んでいるために、ナフタレンスルホン酸塩ホルマリン縮合物はインクの貯蔵安定性に寄与するものではない。これは比較例１と２の考察から明らかである。すなわち、比較例２のインクは水相成分が７０質量部以上であって粘度が高いインクで、貯蔵安定性には優れたが、インクジェットでは吐出できなかった。一方、このインクの水相にナフタレンスルホン酸塩ホルマリン縮合物を添加したのが比較例１であるが、貯蔵安定性に変化はみられなかいことが看取できる。すなわち、粘度の高いインク、言い換えれば水相成分の割合が高いインクの場合には、水相にナフタレンスルホン酸塩ホルマリン縮合物を添加しても貯蔵安定性に影響がないことがわかる。